(57)【要約】【課題】蓋が開くときの勢いによる塵の舞い上げを低減でき、シール部に塵が付着しにくく、また、可動連結部に塵が引っ掛からない電気掃除機を提供する。【解決手段】電動送風機の吸込側と吸込具に連通して設けられ、掃除機本体から取り外し可能な集塵ケースを備え、集塵ケースは吸込具に連通する吸込口、電動送風機の吸込側に開口部を有する集塵ケース本体２、開口部を開閉する蓋３及び集塵ケースの下部に設けられ集塵ケース本体２と蓋３とを連結する可動連結部１１、１３を有する電気掃除機において、集塵ケースの蓋３が開放されるときに、蓋３の開放速度を減速する油圧式ダンパー１２を備えている。また、蓋３の集塵ケース本体との可動連結部１３を集塵ケース本体２の開口面から集塵ケース本体２側にずらしている。【選択図】図７
2006026018.tif 000002
【特許請求の範囲】
【請求項１】
電動送風機の吸込側と吸込具に連通して設けられ、掃除機本体から取り外し可能な集塵ケースを備え、前記集塵ケースは前記吸込具に連通する吸込口、前記電動送風機の吸込側に開口部を有する集塵ケース本体、前記開口部を開閉する蓋及び前記集塵ケースの下部に設けられ前記集塵ケース本体と蓋とを連結する可動連結部を有する電気掃除機において、  前記集塵ケースの前記蓋が開放されるときに、前記蓋の開放速度を減速する減速手段を備えたことを特徴とする電気掃除機。
【請求項２】
減速手段は、可動連結部の可動部に油圧式ダンパーを連結して減速することを特徴とする請求項１記載の電気掃除機。
【請求項３】
減速手段は、可動連結部の可動部に弾性体を巻装して減速することを特徴とする請求項１記載の電気掃除機。
【請求項４】
蓋の集塵ケースとの可動連結部を前記集塵ケースの開口面から集塵ケース側にずらして備えたことを特徴とする請求項１〜３のいずれかに記載の電気掃除機。
【請求項５】
集塵ケース内に旋回室と、
この旋回室からの連通口で接続された集塵室と、
を備え、
前記連通口の位置を前記集塵室の上側、または、下側に備えたことを特徴とする請求項１記載の電気掃除機。
【請求項６】
旋回室から集塵室への連通口にセレーションを備えたことを特徴とする請求項５記載の電気掃除機。
【請求項７】
旋回室の風路曲がり部にスクリュー形状部を備えたことを特徴とする請求項５または６記載の電気掃除機。
【請求項８】
旋回室から集塵室へのバイパス風路を備え、
このバイパス風路の気流出口を電動送風機の吸込口から離して配設したことを特徴とする請求項５〜７のいずれかに記載の電気掃除機。
【請求項９】
集塵ケースを一定角度以上傾斜させたときに蓋が開くようにする蓋開放規制手段を備えたことを特徴とする請求項１〜８のいずれかに記載の電気掃除機。
【請求項１０】
蓋開放規制手段は集塵ケースの傾斜により移動する移動部材が移動することにより、蓋を開閉する蓋開閉手段を動作可能にする構成としたことを特徴とする請求項９記載の電気掃除機。
【請求項１１】
蓋は、開口部を有する蓋枠体と、
この蓋枠体に保持された複数のフィルターからなるフィルター部と、
を備え、
前記蓋枠体の内周面に、前記フィルターの周縁部を支持する支持部を気流の上流側に正対して設け、前記複数のフィルターを前記気流の上流側から下流側へ積層して挿入する
ことを特徴とする請求項１〜１０のいずれかに記載の電気掃除機。
【請求項１２】
複数のフィルターを、気流の上流側から下流側にかけて圧損が低いものから高い順番になるように蓋枠体に挿入するようにしたことを特徴とする請求項１１記載の電気掃除機。
【請求項１３】
気流の上流側の最前面のフイルターをステンレス材で構成したことを特徴とする請求項１２記載の電気掃除機。
【請求項１４】
最前面のフイルターのＳＵＳ材のフイルター表面にフッ素コーティングを施したことを特徴とする請求項１３記載の電気掃除機。
【請求項１５】
各フィルターを蓋枠体内へ挿入するときに、あらかじめ定められた順番以外の順番では挿入できないように、前記各フィルターの各々の外周縁部形状を変えたことを特徴とする請求項１１〜１４のいずれかに記載の電気掃除機。
【請求項１６】
各フィルターの周縁部がシールされるシール方向を統一したことを特徴とする請求項１１〜１５のいずれかに記載の電気掃除機。
【請求項１７】
複数のフィルターを、気流の上流側から下流側にかけてメンテナンス頻度の高い順番になるように保持枠に挿入するようにしたことを特徴とする請求項１１〜１６のいずれかに記載の電気掃除機。
【請求項１８】
旋回室、連通口及び集塵室を介し蓋のフィルター部から流出する気流の中心と電動送風機の吸込口の中心がほぼ一致するようにしたことを特徴とする請求項１１〜１７記載の電気掃除機。
【発明の詳細な説明】
【技術分野】
【０００１】
本体より取外し可能な集塵ケースを有する電気掃除機に関する。
【背景技術】
【０００２】
従来の本体より取外し可能な集塵ケースを有する電気掃除機において、サイクロン方式の集塵ケースの集塵室に溜まった塵廃棄の際に、蓋が可動連結部を中心に開閉する構造となっている。また、蓋には複数のフィルターが取外し可能でメンテナンス可能な構成となっており、高圧損から低圧損のフイルターの取り付け方向が、気流の下流側から上流側となっているのが一般的であった。
また、集塵ケースの蓋の開閉については、ケース本体に軸および蓋体バネで開閉自在に設けた蓋体を固定し軸により回転可能な押しレバーを操作する、尾錠釦バネにより摺動可能な尾錠釦と、バネにより摺動可能な尾錠ストッパーとにより構成して、集塵ケースが掃除機本体に装着されている時には、尾錠ストッパーが尾錠釦を操作不能状態にでき、操作タイミングを規制するものがある（例えば、特許文献１参照）。
【０００３】
【特許文献１】特開２００４−８２９５号公報（段落００３１〜００３３、図７）
【発明の開示】
【発明が解決しようとする課題】
【０００４】
従来の電気掃除機は、サイクロン方式等の集塵ケースにおいて、塵廃棄時に蓋が勢いよく開くため塵が舞い上がってしまうという問題があった。
また、蓋の集塵ケースとの可動連結部が塵の落下経路内にあるため、シール部や可動連結部に塵が引っ掛かってしまうという問題があった。また、可動連結部に塵が引っ掛かって溜まった状態のまま蓋を閉めると可動連結部が規定外の打力を受けてしまい可動連結部に不具合が生しるという問題があった。
また、集塵機の蓋に取り付けられる複数のフィルターは、フィルターのセット方向やフィルターのシール方向がそれぞれまちまちで一致していないため、フィルターを取り付ける際に戸惑い易く、一部のフィルターを着け忘れて使用してしまうという問題があった。
また、集塵ケースのフィルターに一様に塵が付着するため、塵詰まりが早く、風量低下が早いという問題があった。
【０００５】
この発明は、上述のような課題を解決するためになされたもので、蓋が開くときの勢いによる塵の舞い上げを低減でき、シール部に塵が付着しにくく、また、可動連結部に塵が引っ掛からない、フィルターを間違った順番で取り付けることがない、フィルター目詰まりの状態が変わっても風量を一様に確保できる電気掃除機を提供することを目的とする。
【課題を解決するための手段】
【０００６】
この発明に係る電気掃除機は、電動送風機の吸込側と吸込具に連通して設けられ、掃除機本体から取り外し可能な集塵ケースを備え、前記集塵ケースは前記吸込具に連通する吸込口、前記電動送風機の吸込側に開口部を有する集塵ケース本体、前記開口部を開閉する蓋及び前記集塵ケースの下部に設けられ前記集塵ケース本体と蓋とを連結する可動連結部を有する電気掃除機において、前記集塵ケースの前記蓋が開放されるときに、前記蓋の開放速度を減速する減速手段を備えたものである。
【発明の効果】
【０００７】
この発明によれば、集塵ケースは前記蓋を開けるときに、蓋の開き速度を減速する減速手段を備えたので、蓋がゆっくり開くため、蓋の勢いによる塵の舞い上げを低減することができる。
【発明を実施するための最良の形態】
【０００８】
実施の形態１．
図１はこの発明の実施の形態１を示す電気掃除機の外観図、図２は同電気掃除機のメンテナンスにおける使用状態を表した電気掃除機本体の斜視図、図３は集塵ケースの斜視図、図４は集塵ケースの側面図、図５は集塵ケースが掃除機本体に収納された状態の断面図、図６は集塵ケースの正面図、図７は集塵ケースの蓋側から見た斜視図、図８は集塵ケースの下面側要部断面図、図９は蓋の開放状態の説明図、図１０は集塵ケース内の気流の状態を説明する透視正面図である。  
【０００９】
図１において、電気掃除機は、吸込具６５が延長管５４に取り付けられ、手元ハンドル６３とホース継ぎ手５付きのホース６４とを介して本体６１に連結されている。
【００１０】
図２において、本体６１内前方に形成された凹部には集塵ケース１が本体６１の蓋６６を開いて取外し可能に装着される。本体６１の凹部の後方には吸引風を生じさせる電動送風機等が内蔵されている。
図３〜６において、集塵ケース１は、開口部を有する集塵ケース本体２と蓋３を備え、集塵ケース本体２は導入口４を通過した含塵気流を遠心分離する旋回室５、また、旋回室５で遠心分離された塵埃を蓄積するための塵埃室６が形成されている。
【００１１】
蓋３は内部にフィルター部４１が保持されており、蓋３の集塵ケース本体２側の上流側の開口部にゴムパッキン５１、下流側の開口面にゴムパッキン５２が設けられている。  
また、集塵ケース１の下部には、集塵ケース本体２と蓋３を連結する可動連結部１１、１３が設けられている。
集塵ケース本体２の上方には、図５に示すようにハンドル７が形成されており、ハンドル７の後部には、蓋３を開けるためのボタン８ａ、ロック爪８ｂ、ボタン８ａを付勢するスプリング（図示せず）を有する尾錠８が設けられ、蓋３にはロック爪８ｂに係合するヒンジ２ａが設けられている。
【００１２】
また、集塵ケース本体２の旋回室５の風路曲がり部に旋回気流を促進するスクリュー形状部１５、旋回室５から集塵室６への連通口１６にはセレーション（歯状刻み）１６ａが設けられている。
なお、図５は集塵ケース１が掃除機の本体の凹部６７に装着された状態を示しているが、掃除機本体の吸入口６７に集塵ケース本体２の導入口４が、掃除機本体の空気吸入部６８を囲む傾斜シール面６９に、集塵ケース１の蓋３に当接するように装着されている。
【００１３】
次に、集塵ケース本体２への蓋３の取り付け構造について図７、８により説明する。
図７、８において、可動連結部１３は、回転軸２０を有し、回転軸２０の回転を制動する油が封入された油圧式ダンパー本体２７及び軸２０に固定された係合部１７からなる油圧式ダンパー１２と、集塵ケース本体２の下部に設けられ、油圧式ダンパー本体２７が支持される支持穴１９ａを有する油圧式ダンパー支持部１９と、蓋３の下部に設けられ、端部に油圧式ダンパー１２の回転軸２０の係合部１７が挿入係合される係合穴１８ａを有する回転軸部１８ｂが設けられたアーム１８とから構成されている。
【００１４】
可動連結部１１は、蓋３の下部に設けられ端部に回転軸２６ａを有するアーム２６と、集塵ケース本体２の下部に設けられ回転軸２６ａを支持する穴を有する支持部２５とから構成されている。
【００１５】
そして、アーム１８の回転軸部１８ｂは、集塵ケース本体２の油圧式ダンパー支持部１９の支持穴１９ａに挿入され、油圧式ダンパー１２の回転軸２０の係合部１７が、アーム１８の回転軸部１８ｂの内側に設けられた係合穴１８ａに挿入され係合される。一方、アーム２６の回転軸２６ａは集塵ケース本体２の支持部２５の支持穴挿入されることにより集塵ケース本体２に蓋３が取り付けられる。
なお、集塵ケース本体２の下部に設けられた有する油圧式ダンパー支持部１９の支持穴１９ａと支持部２５の回転穴は、集塵ケース本体２の蓋３側の開口面から所定の距離Ｌの位置に設けられている。
【００１６】
次に、この発明の実施の形態１係る電気掃除の全体の動作について図１〜３、５、９、１０により説明する。
まず、電動送風機７５を運転状態にすると、吸込具６５から吸引された塵埃を含んだ空気流は延長管６４とホース６２を通って吸気口６７の中へ流入し、集塵ケース１の導入口４を通り、旋回室５へ流入する。旋回室５へ侵入した空気は旋回室５の風路曲がり部のスクリュー形状部１５で気流の旋回力が強い旋回渦流となり連通口１６に至る。
【００１７】
旋回室５に入った塵埃は、旋回渦流によって発生する遠心力で質量の重い砂ごみ等の塵粒は連通口１６を通過して塵埃室６に流入し、また、繊維質の質量の軽い塵埃は気流と一緒になって、塵埃室６に流入する。このとき、連通口１６には歯状刻み（セレーション）が設けられてるので気流の剥離部に小さい乱流を発生させる。そして、蓋３のフィルター部４１で塵埃を濾過された後、吸入部６９を通って電動送風機７１に吸引され、排気となって電氣掃除機本体６１の外へ排出される。
【００１８】
集塵ケース１内部に溜まった塵埃等を廃棄する際には、掃除機本体６１の蓋６６を開き、ハンドル７を手で持って集塵ケース１を持ち上げ、掃除機本体６１の凹部６７から取り外す。次に、図１１に示すように集塵ケース１のボタン８ａを押すと、蓋３は油圧式ダンパー１２により、蓋３がゆっくり開くため、蓋の勢いによる塵の舞い上げが低減される。また、蓋３を集塵ケース本体２との油圧式ダンパー１２の回転軸２０を集塵ケース本体のの開口面から集塵ケース側に距離Ｌだけずらしたので、蓋３を開けた際に、蓋３のゴムパッキン５１よりも離れた位置に塵が落ちるため、ゴムパッキン部５１に塵が付着しにくい。また、可動連結部１１、１３に塵が引っ掛かることがない。
【００１９】
以上のように、集塵ケース１は蓋３を開けるときに、蓋３の開き速度を減速する減速手段として、油圧式ダンパー１２で構成した可動連結部１３を備えたので、蓋３がゆっくり開くため、蓋３の勢いによる塵の舞い上げが低減でき、また、蓋３の減速手段を簡単な構成でかつ低コストにすることができる。
また、蓋３の集塵ケース１との可動連結部１１、１３を集塵ケース１の開口面から集塵ケース１側にずらして備えたので、蓋３を開けた際に、蓋３のゴムパッキン５１から離れた位置に塵が落ちるため、ゴムパッキン５１に塵が付着しにくく、また、可動連結部１１、１３に塵が引っ掛からないようにすることができる。
【００２０】
また、旋回室５から集塵室６への連通口１６にセレーションを備えたので、気流の剥離部に小さい乱流を発生させるので、流体騒音を低減することができる。
さらに、旋回室５の風路曲がり部にスクリュー形状部１５を備えたので、気流の旋回力を強くして、フィルターの塵の引き剥がし効果を促進することができる。
【００２１】
なお、本実施の形態では、油圧式ダンパー１２を使用した可動連結部１３を片方に用いたが、両方に用いてもよい。また、油圧式ダンパー１２の代わりに、図１２に示すように弾性体であるゴム２２、または、図１３に示すようにスプリング２３で、回転軸を制動してもよい。
また、実施の形態１では、サイクロン集塵方式について示したが、紙パック集塵方式でもよい。
【００２２】
実施の形態２．
図１４はこの発明の実施の形態２を示す電気掃除機の集塵ケースの断面図、図１５は集塵ケースの部分拡大断面図、図１６は蓋の開放時の動作説明図である。  
図１４、図１５において、実施の形態１の図５と同一または相当部分には同一の符号を付し説明を省略する。
【００２３】
図１４、図１５において、集塵ケース本体２上部に取り付けられたロック部ケース３２内に、ボタン８ａと、ボタン８ａと一体に形成されたロック爪８ｂ、ロック保持用のストッパー８ｃを有する尾錠８と、尾錠８をロック方向に付勢するスプリング（図示せず）と、集塵ケース本体２上部の開口部近傍に設けられ、ストッパー８ｃの係脱を行い、ボール３１が転がるボールガイド３４を有する蓋開放規制手段であるストッパー係脱部３３が設けられている。蓋３には、尾錠８のロック爪８ｂが係合されるヒンジ２ａ（図５）が設けられている。
【００２４】
この構成において、集塵ケース１が図１４の状態（略水平状態）においては、ボール３１が移動しないので、ストッパー８ｃとボール３１が干渉して、スプリングの付勢力を受けているボタン８ａのロック爪８ｂと蓋３ヒンジ２ａとは係合したままの状態で、蓋３を開けることができない。      
ところが、集塵ケース１内に溜まった塵埃をごみ箱等に捨てる際には、図１６のように集塵ケース１を蓋３が開く方向に傾けると、ボール３１が、ボールガイド３４を転がり、ストッパー８ｃとボール３１は干渉せず、ボタン８ａを押してロック爪８ｂが蓋３のヒンジ２ａから外れ、蓋３が自重で開放され塵埃がごみ箱等に捨てられる。
【００２５】
以上のように、集塵ケース１を一定角度以上傾斜させたときに蓋３が開くようにしたので、塵の廃棄方向が下向きになるため、塵の舞い上げを低減することができる。
また、集塵ケース１の傾斜により、移動するボール３１が移動することにより、蓋３を開閉する尾錠８を動作可能にするようにしたので、蓋開放規制手段を簡単にすることができる。
【００２６】
実施の形態３．
図１７はこの発明の実施の形態３を示す電気掃除機の集塵ケースと蓋に保持されるフィルター部の斜視図、図１８は集塵ケースの断面図、図１９は蓋の断面図、図２０は低圧損フィルターの説明図である。
図１７、図１８において、実施の形態１の図４と同一または相当部分には同一の符号を付し説明を省略する。蓋３は、蓋枠体３５と、この蓋枠体３５に積層して保持された低圧損フィルター４２、中圧損フィルター４３、高圧損フィルター４４から構成される。
そして、集塵ケース本体２の導入口４側の気流の上流側から下流側にかけて圧損が低いものから高い順番になるように、すなわち、低圧損フィルター４２、中圧損フィルター４３、高圧損フィルター４４の順に蓋枠体３５に挿入されている。また、この順番はメンテナンス頻度の高い順番でもある。また、低圧損フィルター４２のフレーム４６に、外側に延設された周縁部４６ａ及び取っ手４６ｃと蓋枠体３５の係合凸部（図示せず）と係合する係合凹部４６ｂが設けられている。
なお、図１８において、気流はメイン風路Ａとサブ風路Ｂを流れる。
【００２７】
次に、蓋３の構成の詳細を図１９、図２０により説明する。蓋枠体３５はの内側に略中間に段差部３５ａが設けられ、集塵ケース本体２側で、気流の上流側の開口部内面３５ｂと、下流側の開口部内面３５ｂから構成されている。
開口部内面３５ｂの内寸が下流側の開口部内面３５ｂの内寸より大きく、段差部３５ａの面が気流上流側に正対して設けられている。そして、段差部３５ａと開口部内面３５ｂにゴムパッキン５１が設けられている。
【００２８】
低圧損フィルター４２は、図２０（ａ）に示すように、ＳＵＳのフィルターシート４５とフレーム４６からなるが、ＳＵＳのフィルターシート４５には図２０（ｂ）に示すようにフイルターシート４５及びメッシュ穴５３の表面にフッ素コーティング５４が施されている。また、フレーム４６の下流側に延設されたフレーム支持枠４６ｄが設けられている。中圧損フィルター４３はウレタンであり、上流、下流ともフラットであり、外寸が蓋枠体３５の段差部３５ａ（開口部内面３５ｃ）の内寸及び低圧損フィルター４２のフレーム支持枠４６ｄの内寸より小さい。高圧損フィルター４４は、上流側にフランジ４７ａを有するフレーム４７と、フレーム４７に保持されたＨＥＰＡフィルター部材４８からなる。
また、低圧損フィルター４２、中圧損フィルター４３、高圧損フィルター４４の外周部形状はそれぞれ異なっている。
【００２９】
この構成において、低圧損フィルター４２、中圧損フィルター４３、高圧損フィルター４４を蓋枠体３５に装着するときは、まず、高圧損フィルター４４を蓋枠体３５内側に挿入し、高圧損フィルター４４のフレーム４７のフランジ４７ａを蓋枠体３５内側のゴムパッキン５１を介して段差部３５ａに載置する。次に、中圧損フィルター４３を低圧損フィルター４２のフレーム支持枠４６ｄの内側に入れて、高圧損フィルター４４の上に載置する。そして、低圧損フィルター４２の一対の取っ手４６ｃを掴んで蓋枠体３５に押し込むと、係合凹部４６ｂが蓋枠体３５の凸状係合部と係合して、低圧損フィルター４２の周縁部４６ａ、高圧損フィルター４４のフランジ４７ａが蓋枠体３５のゴムパッキン５１に密着してシールされる。
【００３０】
このとき、低圧損フィルター４２、中圧損フィルター４３、高圧損フィルター４４の外周形状が異なっているので、蓋枠体３５に挿入するとき、この順番以外の順番では挿入できない。例えば、中圧損フィルター４３を蓋枠体３５に一番先に挿入すると、蓋枠体３５のの段差部３５ａの内寸より小さいので、段差部３５ａに載置できない。また、低圧損フィルター４２を蓋枠体３５に一番先に挿入しよとしても、低圧損フィルター４２の周縁部４６ａが、蓋枠体３５の開口部内面３５ｂ内寸より大きいので、蓋枠体３５に挿入できない。また、高圧損フィルター４４の下流側を上流側に向けて蓋枠体３５に挿入すると、高圧損フィルター４４が蓋枠体３５に全体を挿入することができない。また、高圧損フィルター４４の次ぎに、低圧損フィルター４２を挿入してしまうと、中圧損フィルター４３は、蓋枠体３５内に挿入できないで残ってしまう。
【００３１】
このように、低圧損フィルター４２、中圧損フィルター４３、高圧損フィルター４４を気流の上流側から下流側へ積層して蓋枠体３５に挿入されており、集塵ケース１を掃除機本体６１に装着して運転したとき、図１８、図１９に示すように上流側から下流側に気流が流れるので、蓋枠体３５と各フィルターが軽い係合でも、吸引時には確実にシールされる。
【００３２】
以上のように、蓋枠体３５の内周面に、フィルター部４１の周縁部を支持する段差部３５ａを気流の上流側に正対して設け、複数のフィルターを気流の上流側から下流側へ積層して挿入するようにしたので、蓋３と各フィルターが軽い係合でも、吸引時には確実にシールができ、シール信頼性を高くすることができる。
また、複数のフィルターを、気流の上流側から下流側にかけて圧損が低いものから高い順番になるように蓋枠体に挿入するようにしたので、各フィルターのメンテナンスの際の取外し方法が理解し易い。
また、各フィルターを蓋枠体内へ挿入するときに、あらかじめ定められた順番以外の順番では挿入できないように、前記各フィルターの各々の外周縁部形状を変えたので、各フィルターの着脱操作が容易になる。また、間違った順番でフィルターを取り付けることがない。
【００３３】
また、各フィルターの周縁部がシールされるシール方向を統一したので、フィルターが外れてしまったり、塵や風が洩れて異音等が発生することが殆どない。
また、複数のフィルターを、気流の上流側から下流側にかけてメンテナンス頻度の高い順番になるように蓋枠体に挿入するようにしたので、メンテナンス頻度が高い順に取り外せる為、無駄な取外し操作が無くなる。
また、気流の上流側の最前面の低圧損フイルター４２をステンレス材で構成したので、フィルター部４１の塵の引き剥がし効果が促進される。
また、最前面の低圧損フイルター４２のフイルター表面にフッ素コーティングを施したので、フッ素の低摺動性とメッシュ穴５３の開口端部のエッジの尖り低減により、低圧損フイルター４２に塵が付着しにくくなるとともに、塵が取れ易くなる。
【００３４】
実施の形態４．
図２１はこの発明の実施の形態４を示す電動送風機との位置関係を示す電気掃除機の集塵ケースの横断面図である。
図２１において実施の形態１の図５、実施の形態３の図１８と同一または相当部分には同一の符号を付し説明を省略する。メイン風路Ａの気流は旋回室５、集塵室６、蓋３のフィルター部４１を経て流出するが、この流出する部分に対向するように電動送風機７６の吸込部の略中心を配設し、バイパス風路Ｂ気流がフィルター部４１から流出する部分を電動送風機７６の吸込口から離して配設している。
【００３５】
この構成により、フィルター部４１の電動送風機７６の吸引口付近に強い気流を当てることができ、フィルター部４１に付着した塵の引き剥がし効果が得られる。
また、フィルター部４１の目詰まりの少ない状態では、メイン風路Ａに対してバイパス風路Ｂに流れる風量の比率を小さくすることができ、フィルター部４１の目詰まりが多くなっていくに従い、バイパス風路Ｂに流れる風量の比率が大きくなっていくため、フィルタ部４１の目詰まりの状態が変わっても掃除機としての吸込風量を一様に確保することができる。
【００３６】
実施の形態５．
図２２はこの発明の実施の形態５を示す電動送風機との位置関係を示す電気掃除機の集塵ケースの正面図である。図２２において実施の形態１の図５、実施の形態３の図１８と同一または相当部分には同一の符号を付し説明を省略する。旋回室５から集塵室６への連通口１６の位置を集塵ケース本体２の中心位置より下側に設けている。
【００３７】
この構成により、集塵室６内に旋回気流を発生することができる。
【００３８】
なお、本実施の形態では連通口１６位置を集塵ケース本体２の下側に設けたが、連通口１６位置を集塵ケース本体２の上側に設けてもよい。
【図面の簡単な説明】
【００３９】
【図１】この発明の実施の形態１を示す電気掃除機の外観図である。
【図２】この発明の実施の形態１を示す電気掃除機のメンテナンスにおける使用状態を表した電気掃除機本体の斜視図である。
【図３】この発明の実施の形態１を示す電気掃除機の集塵ケースの斜視図である。
【図４】この発明の実施の形態１を示す電気掃除機の集塵ケースの側面図である。
【図５】この発明の実施の形態１を示す電気掃除機の集塵ケースが掃除機本体に収納された状態の断面図である。
【図６】この発明の実施の形態１を示す電気掃除機の集塵ケースの正面図である。
【図７】この発明の実施の形態１を示す電気掃除機の集塵ケースの蓋側から見た斜視図である。
【図８】この発明の実施の形態１を示す電気掃除機の集塵ケースの下面側要部断面図である。
【図９】この発明の実施の形態１を示す電気掃除機の集塵ケース内の気流状態の説明図である。
【図１０】この発明の実施の形態１を示す電気掃除機の集塵ケース内の気流状態の説明図である。
【図１１】この発明の実施の形態１を示す電気掃除機の集塵ケースの蓋の開放状態の説明図である。
【図１２】この発明の実施の形態１を示す電気掃除機の集塵ケースの斜視図である。
【図１３】この発明の実施の形態１を示す電気掃除機の集塵ケースの斜視図である。
【図１４】この発明の実施の形態２を示す電気掃除機の集塵ケースの断面図である。
【図１５】この発明の実施の形態２を示す電気掃除機の集塵ケースの部分拡大断面図である。
【図１６】この発明の実施の形態２を示す電気掃除機の集塵ケースの蓋の開放時の動作説明図である。
【図１７】この発明の実施の形態３を示す電気掃除機の集塵ケースと蓋に保持されるフィルター部の斜視図である。
【図１８】この発明の実施の形態３を示す電気掃除機の集塵ケースの断面図である。
【図１９】この発明の実施の形態３を示す電気掃除機の集塵ケースの蓋の断面図である。
【図２０】この発明の実施の形態３を示す電気掃除機の集塵ケースの蓋の低圧損フィルターの説明図である。
【図２１】この発明の実施の形態４を示す電動送風機との位置関係を示す電気掃除機の集塵ケースの横断面図である。
【図２２】この発明の実施の形態５を示す電動送風機との位置関係を示す電気掃除機の集塵ケースの正面図である。
【符号の説明】
【００４０】
１  集塵ケース、２  集塵ケース本体、３  蓋、４  開口部、５  旋回室、６  集塵室、１１、１３  可動連結部、１２  油圧式ダンパー、１５  スクリュー形状部、１６  連通口   ２２  ゴム  ２３  バネ  ３１  ボール、３５  蓋枠体、３５ａ  段差部、４１  フィルター部、４２  低圧損フィルター、４３  中圧損フィルター、４４  高圧損フィルター４４、６１  掃除機本体、６５  吸込具、６８  吸込口、７５  電動送風機。
【図１】
2006026018.tif 000003
【図２】
2006026018.tif 000004
【図３】
2006026018.tif 000005
【図４】
2006026018.tif 000006
【図５】
2006026018.tif 000007
【図６】
2006026018.tif 000008
【図７】
2006026018.tif 000009
【図８】
2006026018.tif 000010
【図９】
2006026018.tif 000011
【図１０】
2006026018.tif 000012
【図１１】
2006026018.tif 000013
【図１２】
2006026018.tif 000014
【図１３】
2006026018.tif 000015
【図１４】
2006026018.tif 000016
【図１５】
2006026018.tif 000017
【図１６】
2006026018.tif 000018
【図１７】
2006026018.tif 000019
【図１８】
2006026018.tif 000020
【図１９】
2006026018.tif 000021
【図２０】
2006026018.tif 000022
【図２１】
2006026018.tif 000023
【図２２】
2006026018.tif 000024